(57)【要約】【課題】  前後にゆとりがあり、人体に沿うようなアウトラインを無縫製で得ることができる襠を有する筒状編地の編成を可能にする。【解決手段】  襠部４の編地は、前側の襠編地４Ｆと後側の襠編地４Ｂとで形状を異ならせ、後側の襠編地４Ｂの方が前側の襠編地４Ｆよりも編成するコース数を多くする。襠部４の編成は、異なるＳ２〜Ｓ４の３つの区間に分けて行う。区間Ｓ１で、左右の脚部３Ｌ，３Ｒを、独立した筒状編地として編成する。区間Ｓ２，Ｓ３では、身頃と襠とを編成するコース数の比率を変えて、緩曲部５Ｆ，５Ｂと急曲部６Ｆ，６Ｂとを編成する。前身頃の編幅は、ダーツ部９Ｆを設けて、後身頃の編幅と同一になるように調整する。【選択図】      図１
2006152507.tif 000002
【特許請求の範囲】
【請求項１】
前後に少なくとも一対の対向する針床を備えて、前後の針床間の目移しとラッキングとが可能な横編機で、前後の針床でそれぞれ編成する編地を両端で連結しながら、接合部分には襠編地を形成して、襠を有する筒状編地を無縫製で編成する方法であって、
接合する複数の筒状編地を、先端から接合部分近傍までそれぞれ編成し、
接合部分近傍では襠編地の編出しも開始し、
襠編地を、前側と後側とでそれぞれで形状が異なるように編成し、
筒状編地間を襠編地を介して接合するとともに、
襠編地は、前側と後側とで編成するコース数を異ならせ、
前側と後側との襠編地のうちでコース数が少ない側に接合される筒状編地の一方側は、幅方向の中間にダーツの成型を行って、編幅を前側と後側との襠編地のうちでコース数が多い側に接合される筒状編地の他方側に合わせることを特徴とする襠を有する筒状編地の編成方法。
【請求項２】
前記前側と後側との襠編地のうちの一方は、編幅が減少する部分と編幅が一定となる部分とを含むように、
前側と後側との襠編地のうちの他方は、編幅が減少するように、
それぞれ編成することを特徴とする請求項１記載の襠を有する筒状編地の編成方法。
【請求項３】
前記前側と後側との襠編地のうちの少なくとも一方で編成するコース数と、該襠編地に接合する部分の筒状編地で編成するコース数との比率を、１：１よりも、該襠編地側が小さくなるようにすることを特徴とする請求項１または２記載の襠を有する筒状編地の編成方法。
【請求項４】
前記襠編地と前記筒状編地とを編成するコース数の比率を、襠編地の前側と後側とで異ならせるようにすることを特徴とする請求項３記載の襠を有する筒状編地の編成方法。
【請求項５】
前記筒状編地は人体の下半身に着用され、
前記襠編地は、筒状編地の両脚間の股下部分に形成し、襠編地の前側のコース数よりも後側のコース数を多くすることを特徴とする請求項１〜４のいずれか１つに記載の襠を有する筒状編地の編成方法。
【請求項６】
請求項１〜５のいずれか１つに記載の襠を有する筒状編地の編成方法で製造されることを特徴とする編地。
【発明の詳細な説明】
【技術分野】
【０００１】
本発明は、人体に装着する衣服などを、無縫製の筒状の編地として編成し、筒状の編地を接合する関節などに対応する部分に襠を形成して、着用感を良好にするための襠を有する筒状編地の編成方法および編地に関する。
【背景技術】
【０００２】
従来から、人体に装着する衣服では、前部と後部とがそれぞれ外部に膨らむような大略的に筒状の形状となっている。前後に少なくとも一対の対向する針床を備えて、前後の針床間の目移しとラッキングとが可能な横編機では、筒状の編地を無縫製で製造することができる。前後の針床にそれぞれ編地がかかっている状態で、前後の編地を周回するように編糸を供給すれば、前後の編地が編幅の両端で連結しながら、全体として筒状の編地を無縫製で製造することができる（たとえば、特許文献１〜３参照。）。これらの特許文献１〜３には、セーターなど、人体の上半身に着用するニット製品で身頃の部分と袖との間に襠（マチ）を形成しながら、筒状の編地を無縫製で編成する技術が開示されている。パンツなどの人体の下半身に着用するニット製品を、両脚間に襠を形成しながら、筒状の編地で無縫製で形成することも可能である（たとえば、特許文献４参照。）。
【０００３】
図１０は、横編機で編成される編地の形状を、基本的な平編みの場合について示す。針床の長手方向にキャリッジが移動して編針の編成作用が行われると、Ｃで示すコースの方向に編目ループの連なりが形成される。各編目ループは、キャリッジの通過前に編針に係止されていた編目ループをノックオーバさせて、コース方向に直交し、Ｗで示すウェールの方向にも連なるようになる。このような編地の基本的な性質として、コース方向には伸びやすく、ウェール方向には伸び難いことが知られている。特許文献１〜４の先行技術で形成される襠は、筒状編地間の接合を前後方向に連続して行う過程で形成され、筒状編地同士の境界部分には、各筒状編地のコース方向に連なる伏目が編成される。特許文献２では、筒状編地間の連結部分に孔が明かず、伸びがあるとともに引張り強度も大きくなるように、渡り糸が生じるような編成が行われるようにしている。
【０００４】
襠として編地を編成する技術も知られている（たとえば、特許文献５参照。）特許文献５の請求項１には、無縫製ニットパンツを胴部を先に形成し、中央部の股の部分では、「左右に編み目を割り込ませながら周回編成して略三角形状の割増部（１７ａ）を形成」し、「左右外側から内側に向かって次第に編み目を止め保持しながら周回編成して逆三角形状の割増部（１７ｂ）を形成」し、「次いで股下部（１５）を周回編成する際に、前記割増部（１７ｂ）の下端の編み目数を保ちながら股下部（１５）の内側部分に割増部（１７ｃ）を形成」する旨が記載されている。
【０００５】
なお、肌着などの縫製による衣服の製造では、立体裁断に基づいて生地を裁断する原形を作る技術が用いられている。このような立体裁断では、襠の部分に独立した生地が当てられる。パンティストッキングやタイツについて、筒状編地の接合部分にマチを縫着させる技術も知られている（たとえば、特許文献６参照。）。
【０００６】
【特許文献１】国際公開第０１／０８８２４３号パンフレット
【特許文献２】国際公開第２００２／０６３０８５号パンフレット
【特許文献３】国際公開第０３／０３１７０７号パンフレット
【特許文献４】国際公開第２００４／０６３４４７号パンフレット
【特許文献５】特許第３４０３７２０号公報
【特許文献６】特開平９−７８３０９号公報
【発明の開示】
【発明が解決しようとする課題】
【０００７】
特許文献１〜４に開示されているような技術を使用すれば、セーターなどの袖と身頃との間やパンツなどの股のような接合部分に襠を持つ立体的なニット製品を無縫製で製造することができる。これらの襠を持つニット製品では、襠の部分が充分にとられていれば、着用者は充分なゆとりを感じることができる。しかしながら、編成が直線的なため、人体に沿うようなアウトラインにはならず、襠の部分を大きく形成することは外観上好ましくない。スポーツ等の用途における腕や脚の動作では、さらなるゆとりや伸びが要求されることもある。特許文献２の技術では、襠の部分に渡り糸を付加し、補強を行うことはできるけれども、延びは得られない。特許文献５の技術では、脚部の内側にも襠を延長させるので、襠となる部分が大きくなってしまう。
【０００８】
また、特許文献１〜５の技術では、襠の形状が前側と後側とで同等となるけれども、人体は前後で大きさが異なる。たとえば上半身では、前側の胸部の方が後側よりも大きく、また腕の関節も胸部側に大きな角度範囲で動き得るように形成されている。下半身では、前側よりも後側の臀部の方が大きい。人体に着用する衣服などを形成するための襠の機能としては、人体の前後の形状の違いを吸収して、ゆとりをもたせることが期待される。しかしながら、横編機で襠を前側と後側とに分けて筒状に編成すると、前後の方向がウェール方向となる。編地はウェール方向には延びにくいので、前後方向へのゆとりがつきにくい。特許文献６の技術のように、別生地で襠を形成して筒状の編地に追加する場合は、立体裁断などに基づく適切な形状とすることは可能であるけれども、襠の部分を別生地として、縫着しなければならず、無縫製ではなく、手間がかかってしまう。
【０００９】
本発明の目的は、前後にゆとりがあり、人体に沿うようなアウトラインを無縫製で得ることができる襠を有する筒状編地の編成方法および編地を提供することである。
【課題を解決するための手段】
【００１０】
本発明は、前後に少なくとも一対の対向する針床を備えて、前後の針床間の目移しとラッキングとが可能な横編機で、前後の針床でそれぞれ編成する編地を両端で連結しながら、接合部分には襠編地を形成して、襠を有する筒状編地を無縫製で編成する方法であって、
接合する複数の筒状編地を、先端から接合部分近傍までそれぞれ編成し、
接合部分近傍では襠編地の編出しも開始し、
襠編地を、前側と後側とでそれぞれで形状が異なるように編成し、
筒状編地間を襠編地を介して接合するとともに、
襠編地は、前側と後側とで編成するコース数を異ならせ、
前側と後側との襠編地のうちでコース数が少ない側に接合される筒状編地の一方側は、幅方向の中間にダーツの成型を行って、編幅を前側と後側との襠編地のうちでコース数が多い側に接合される筒状編地の他方側に合わせることを特徴とする襠を有する筒状編地の編成方法である。
【００１１】
また本発明で、前記前側と後側との襠編地のうちの一方は、編幅が減少する部分と編幅が一定となる部分とを含むように、
前側と後側との襠編地のうちの他方は、編幅が減少するように、
それぞれ編成することを特徴とする。
【００１２】
また本発明では、前記前側と後側との襠編地のうちの少なくとも一方で編成するコース数と、該襠編地に接合する部分の筒状編地で編成するコース数との比率を、１：１よりも、該襠編地側が小さくなるようにすることを特徴とする。
【００１３】
また本発明では、前記襠編地と前記筒状編地とを編成するコース数の比率を、襠編地の前側と後側とで異ならせるようにすることを特徴とする。
【００１４】
また本発明で、前記筒状編地は人体の下半身に着用され、
前記襠編地は、筒状編地の両脚間の股下部分に形成し、襠編地の前側のコース数よりも後側のコース数を多くすることを特徴とする。
【００１５】
さらに本発明は、前述のいずれかの襠を有する筒状編地の編成方法で製造されることを特徴とする編地である。
【発明の効果】
【００１６】
本発明によれば、前後に少なくとも一対の対向する針床を備えて、前後の針床間の目移しとラッキングとが可能である横編機を用いて、前後にゆとりがあり、人体に沿うようなアウトラインの襠を有する筒状編地を、無縫製で製造することができる。襠編地は、前側と後側とで編成するコース数を異ならせ、前側と後側との襠編地のうちでコース数が少ない側に接合される筒状編地の一方側は、幅方向の中間にダーツの成型を行って、編幅を前側と後側との襠編地のうちでコース数が多い側に接合される筒状編地の他方側に合わせるので、筒状編地としての前後の連結部分で編目の方向をそろえることができる。
【００１７】
また本発明によれば、前側と後側との襠編地のうちの一方は、編幅が減少する部分と編幅が一定となる部分とを含むように編成するので、充分なゆとりを持たせることができる。
【００１８】
また本発明によれば、前側と後側との襠編地のうちの少なくとも一方で編成するコース数と、襠編地に接合する部分の筒状編地で編成するコース数との比率を、１：１よりも、襠編地側が小さくなるようにするので、襠編地の内部がアーチ状に窪み、アウトラインが直線的ではない人体に沿う形状にすることができる。
【００１９】
また本発明によれば、襠編地と筒状編地とを編成するコース数の比率を、襠編地の前側と後側とでそれぞれ異ならせるので、ゆとりの必要に応じてアーチ状の窪みに緩急をつけることができ、前後それぞれでも調整することができる。
【００２０】
また本発明によれば、人体の下半身に着用されるパンツなどを無縫製で、しかも両脚間の股下部分に形成する襠編地の臀部側となる後側のコース数を前側より多くして、臀部側により大きなゆとりを持たせて製造することができる。
【００２１】
さらに本発明によれば、人体に装着する衣服などの編地を、横編機を使用して、無縫製で襠を有する筒状編地として製造し、前後の形状を変えて充分なゆとりと良好なアウトラインとを得ることができる。
【発明を実施するための最良の形態】
【００２２】
図１は、本発明の実施の一形態としての襠を有する筒状編地の編成方法で形成されるニット製品の一例であるパンツ１での編地のレイアウトを示す。パンツ１は、大略的に胴部２と脚部３とからなる。胴部２は一つの筒状編地として編成される。脚部３は、左右の脚部３Ｌ，３Ｒとして、それぞれ筒状に形成される。左右の脚部３Ｌ，３Ｒは、襠部４を挟んで胴部２に接合される。
【００２３】
このようなパンツ１などの襠を有する筒状編地は、正面から見て歯口の前後に少なくとも一対の対向する針床を備え、前後の針床間の目移しとラッキングとが可能な横編機で編成することができる。前後の針床でそれぞれ編成する編地を両端で連結すれば、筒状の編地を形成することができる。針床が前後で一対設けられる２枚ベッドの横編機を用いる場合には、各針床でたとえば１本おきの編針を使用してその針床では表目を編む編地を編成し、中間の編針を空針として使用して、対向する針床で表目を編成する編地に対する裏目やリブ編みの編成、目移し時の係止などに使用する。針床が前後で上下２段ずつ設けられる４枚ベッドの横編機を用いる場合には、前側編地を下部前針床と上部後針床の編針で編成し、同様に後側編地を下部後針床と上部前針床の編針を使用して編成することができるので、２枚ベッド横編機のように空針を設ける必要はなく、また、リンクス、ガーター、リブなどの表目と裏目とが混在した組織柄を編成したり、前後の編地について編目をコース方向に移動させて互いに接合したりすることができるようになっている。筒状の編地の接合部分に襠編地を形成するようにすれば、襠を有する筒状編地を無縫製で編成することができる。
【００２４】
図１のパンツ１を製造する場合、たとえば人体に着用するときに前側となる編地は前針床で表目を編むように編成し、後側となる編地は後針床で表目を編むように編成する。図１（ａ）は前側の編地を示し、図１（ｂ）は後側の編地を示す。襠部４の編地は、前側の襠編地４Ｆと後側の襠編地４Ｂとで形状を異ならせ、後側の襠編地４Ｂの方が前側の襠編地４Ｆよりも編成するコース数を多くする。すなわち、図１（ａ）に示す前側では、左右に分けて示されている前側の胴部２ＬＦ，２ＲＦと、左右の脚部３Ｌ，３Ｒの前側３ＬＦ，３ＲＦとからなる前身頃、および前側の襠編地４Ｆを編成する。図１（ｂ）に示す後側では、左右に分けて示されている後側の胴部２ＬＢ，２ＲＢと、左右の脚部３Ｌ，３Ｒの後側３ＬＢ，３ＲＢとからなる後身頃、および後側の襠編地４Ｂを編成する。
【００２５】
図１に示す部分の編成は、Ｓ１〜Ｓ５の５つの区間に分けて行うことができる。襠部４の編成は区間Ｓ２〜Ｓ４で行う。
【００２６】
まず、区間Ｓ１では、接合する複数の筒状編地となる左右の脚部３Ｌ，３Ｒを、先端から接合部分近傍までそれぞれ独立した筒状編地として編成する。各脚部３Ｌ，３Ｒは、前側３ＬＦ，３ＲＦと後側３ＬＢ，３ＲＢとを幅の両側で連結しながら、それぞれ筒状に編成する。襠部４は編成されないけれども、後述するような捨て編みが行われることがある。
【００２７】
区間Ｓ２では、脚部３Ｌ，３Ｒの接合部分近傍となり、襠部４となる襠編地の編出しも開始する。編成に使用する横編機に、編地を歯口下方に押し下げる機能を有する可動のシンカが備えられていたり、部分的な編地の引き下げが可能な機構が備えられていれば、脚部３Ｌ，３Ｒの編成の途中から襠編地を編出すことができる。脚部３Ｌ、３Ｒの編成とともに捨て編みを行っておけば、捨て編みされた編地を介して、襠部４を脚部３Ｌ，３Ｒとともに歯口下方へ引き下ろすことができる。
【００２８】
区間Ｓ２の編成では、身頃３目襠１目と身頃１目襠１目との編成を組合わせると同時に、襠部４の成型も行い、緩曲部５Ｆ，５Ｂがそれぞれ形成される。後側の緩曲部５Ｂは、編幅一定のストレート部として編成する。胴部２および脚部３の身頃と襠部４との編成比率は、合算して身頃４目襠２目となる。身頃の成型では、前身頃と後身頃とで成型を行う位置を変化させ、後側の襠編地４Ｂの方が長くなるように成型を行う。
【００２９】
次の区間Ｓ３の編成では、身頃３目襠１目の比率で編成を行うと同時に、襠部４の成型も行い、急曲部６Ｆ，６Ｂがそれぞれ形成される。前身頃および後身頃も、編幅全体から見て同角度となるような位置で成型を行う。ここで、前側の襠編地４Ｆの目減らしは完了する。
【００３０】
次の区間Ｓ４の編成では、身頃１目襠１目の比率で編成を行うと同時に、後側の襠編地４Ｂの成型を行い目減らし部７Ｂを形成する。前側の襠編地４Ｆは、区間Ｓ３で目減らしが終了しているので、前身頃には、後側の目減らし部７Ｂに相当する、ダーツ部９Ｆを設ける。前身頃の編地の中間で目減らしのためのダーツの成型を行うことによって、後身頃での減らし目の数と一致し、前後身頃の編幅は同一に保たれる。ここで、後側の襠編地４Ｂの目減らしも完了する。
【００３１】
次の区間Ｓ５では、中央の延長部８Ｆ，８Ｂを介して左右の胴部２Ｌ，２Ｒを接合し、全体として一つの筒状編地としての胴部２を形成する。
【００３２】
図２は、図１の襠部４として編成する部分の形状を示す。図２（ａ）は前側の襠編地４Ｆ、図２（ｂ）は後側の襠編地４Ｂの形状をそれぞれ示す。実際に編成する襠部４は、編み出し部での編目数で、たとえば株式会社島精機製作所の製品であるＳＷＧ−Ｘ型の４枚ベッド横編機で１２ゲージのものを使用すると、４０目で形成することができる。
【００３３】
図１の区間Ｓ２に対応する緩曲部５Ｆ，５Ｂでは、身頃４目襠２目、すなわち左脚部３Ｌと襠部４と右脚部３Ｒとを４：２：４のコース数で編成することを８回繰り返す。前側の緩曲部５Ｆでは、１コース編成する毎に２目減らすように成型するので、８回の繰り返し後には、２×８＝１６目減少し、４０−１６＝２４目となる。後側の緩曲部５Ｂでは、目減らしは行わず、４０目の編幅を保つ。
【００３４】
図１の区間Ｓ３に対応する急曲部６Ｆ，６Ｂでは、身頃３目襠１目、すなわち左脚部３Ｌと襠部４と右脚部３Ｒとを３：１：３のコース数で編成することを１１回繰り返す。各急曲部６Ｆ，６Ｂは、１コース編成する毎に２目減らすように成型するので、１１回の繰り返し後には、２×１１＝２２目減少し、前側の急曲部６Ｆでは２４−２２＝２目となり、後側の急曲部６Ｂでは、４０−２２＝１８目となる。
【００３５】
図１の区間Ｓ４に対応する襠部４は、前側は幅２目の延長部８Ｆとなり、後側は目減らし部７Ｂとなる。身頃１目襠１目、すなわち左脚部３Ｌと襠部４と右脚部３Ｒとを１：１：１のコース数で編成することを３０回繰り返す。この間に、目減らし部７Ｂでは、両側で８目ずつ、合計１６目の目減らしが行われ、２目残って延長部８Ｂに移行する。
【００３６】
緩曲部５Ｆ，５Ｂおよび急曲部６Ｆ，６Ｂで襠部４は、表面がアーチ状に窪み、脚部３Ｌ，３Ｒ間を円滑に接合することができる。アーチ状に窪むのは、襠部４の編地の編成コース数と、襠部４に接合する脚部３Ｌ，３Ｒの部分の筒状編地の編成コース数との比率を、１：１よりも、襠部４側が小さくなるようにしているからである。さらに、襠編地４Ｆ，４Ｂと筒状編地とを編成するコース数の比率を、前側と後側との襠編地４Ｆ，４Ｂでそれぞれ異ならせるので、ゆとりが必要な側では比率を大きくすることができる。
【００３７】
脚部３Ｌ，３Ｒの筒状編地と前後の襠部４Ｆ，４Ｂの編地との接合過程では、脚部３Ｌ，３Ｒ側に前後の襠部４Ｆ，４Ｂとは接合しないコースが生じ、前後の襠部４Ｆ，４Ｂ側は各コースがそれぞれ脚部３Ｌ，３Ｒに接合される。前後の襠部４Ｆ，４Ｂ側で接合される辺の部分は、脚部３Ｌ，３Ｒによってウェール方向に引き延ばされ、前後の襠部４Ｆ，４Ｂの内部が湾曲するように引張られ、曲面形状の襠を形成することができる。緩曲部５Ｆ，５Ｂよりも急曲部６Ｆ，６Ｂの方が襠部４の比率が小さいので、より顕著な窪みが形成される。このように、前側と後側との襠編地４Ｆ，４Ｂのうちの少なくとも一方で編成するコース数と、襠編地４Ｆ，４Ｂに接合する部分の筒状編地で編成するコース数との比率を、１：１よりも、襠編地４Ｆ，４Ｂ側が小さくなるようにするので、襠編地４Ｆ，４Ｂで筒状編地と接合される辺が引っ張られ、襠編地４Ｆ，４Ｂの内部がアーチ状に窪み、アウトラインを人体に沿う形状にすることができる。
【００３８】
図３は、図１〜図２に従って製造されるパンツ１の形状を示す。図３（ａ）は上方から見た状態、図３（ｂ）は正面から見た状態、図３（ｃ）は背面から見た状態をそれぞれ示す。図４は、図３のパンツ１の脚部３を延長して形成されるタイツ１０の形状を側面から見て示す。襠部４の前側および後側の襠編地４Ｆ，４Ｂは、緩曲部５Ｆ，５Ｂの前後の境界に編み出しが作られる。前側で編幅が減少する緩曲部５Ｆおよび急曲部６Ｆを形成する間に、後側で編幅が一定の緩曲部５Ｂと編幅が減少する急曲部６Ｂとを形成することで、後側のくりを大きくつけることができる。この間の目数は、襠部４が少なく、身頃部分が多いため、より立体的となる。さらに後側の目減らし部７Ｂを形成しながら前身頃の成型を行う。パンツ１のような筒状編地は人体の下半身に着用され、襠部４は、筒状編地の両脚部３Ｌ，３Ｒ間の股下部分に形成するので、臀部側となる後側の襠編地４Ｂのコース数を多くして、ゆとりを持たせることができる。
【００３９】
図５は、図１のパンツ１を編成する際に、脚部３Ｌ，３Ｒの接合部分近傍で襠部４の編成を行いながら編地間の接合を行うための基本的な糸回しを示す。本図および図３以下に示す糸回しに関連する各図では、説明の便宜上、脚部３および襠部４は、前側の編地となる脚部３ＬＦ，３ＲＦおよび襠部４Ｆを前針床で、後側の編地となる脚部３ＬＢ，３ＲＢおよび襠部４Ｂを後針床で、それぞれ編成する状態で示しているけれども、各編地の編成は、前述のように、前後の針床を使用して行うことができる。また、針床の左右は横編機の正面から見た状態で示し、針床の左側部分で編成される編地の右側部分（脚部３Ｒ）が係止され、針床の右側部分に編成される編地の左側部分（脚部３Ｌ）が係止されるものとする。糸回しの説明で給糸する位置は、針床を基準に示す。
【００４０】
まず、最初のコースＡ１では、右側の脚部３Ｒの後側３ＲＢの編地を編成するために、編幅の外端側から内端側の方向へと編糸を給糸する。次のコースＡ２では、右後側の脚部３ＲＢの編地を編成するために、編幅の内端側から外端側の方向へと編糸を給糸する。次のコースＡ３では、前側の針床に編糸を回し、右側の脚部３Ｒの前側３ＲＦの編地を編成するために、編幅の外端側から内端側の方向へと編糸を給糸する。次のコースＡ４では、右前側の脚部３ＲＦの編地を編成するために、編幅の内端側から外端側の方向へと編糸を給糸する。次のコースＡ５では、後側の針床に編糸を回し、右側の脚部３Ｒの後側３ＲＢ、後側の襠部４Ｂおよび左後側の脚部３ＬＢの編地を連続して編成するために、編幅の左側の外端側から右側の外端側の方向へと編糸を給糸する。
【００４１】
次のコースＡ６では、前側の針床に編糸を回し、左側の脚部３Ｌの前側３ＬＦの編地を編成するために、編幅の外端側から内端側の方向へと編糸を給糸する。次のコースＡ７では、左前側の脚部３ＬＦの編地を編成するために、編幅の内端側から外端側の方向へと編糸を給糸する。次のコースＡ８では、後側の針床に編糸を回し、左側の脚部３Ｌの後側３ＬＢの編地を編成するために、編幅の外端側から内端側の方向へと編糸を給糸する。次のコースＡ９では、左後側の脚部３ＬＢの編地を編成するために、編幅の内端側から外端側の方向へと編糸を給糸する。次のコースＡ１０では、前側の針床に編糸を回し、左側の脚部３Ｌの前側３ＬＦ、前側の襠部４Ｆおよび右前側の脚部３ＲＦの編地を連続して編成するために、編幅の右側の外端側から左側の外端側の方向へと編糸を給糸する。
【００４２】
以上で説明するような糸回しは、一筆書きでスタート位置に戻るように行えばよい。ただし、襠部４を編成するコース数と脚部３を編成するコース数との比は、１：３となり、１：１よりも襠部４のコース数の比率が低くなるようにしている。これによって、前述のように、編成された襠部４をアーチ型に窪む曲面とすることができる。
【００４３】
図６は、図５に示す糸回しとともに、前後の針床間での目移しやラッキングを併用して、左右の脚部３Ｌ，３Ｒを襠部４を介して接合していく過程を示す。前針床は右下がりの斜線を施して示し、後針床は右上がりの斜線を施して示す。脚部３を３コース編成し、襠部４を１コース編成する間に、左右の脚部３Ｌ，３Ｒを合計２目ずつ、編幅の内側に寄せるように成型する。なお、脚部３および襠部４として示す編目の数は説明の便宜のための例を示す。また、襠部４を、たとえば１×１リブ編みなどで編成するようにすれば、延びやすくすることができる。
【００４４】
図７は、図１のパンツ１を編成する際に、区間Ｓ２で、襠部４の編地の編成コース数と、襠部４に接合する脚部３Ｌ，３Ｒの部分の筒状編地の編成コース数との比率を、１：２とする糸回しの例を示す。左右の脚部３Ｌ，３Ｒと襠部４とを編成するコース数の比率は、４：２：４となる。この比率は、図５のような３：１：３のコース数での一筆書きの糸回しと、１：１：１のコース数で一周する糸回しとを組み合わせて実現することができる。すなわち、コースＢ１からＢ１０までの各コースは、図５のコースＡ１からＡ１０の各コースとそれぞれ同等に行う。次のコースＢ１１では、後側の針床に編糸を回し、右側の脚部３Ｒの後側３ＲＢ、後側の襠部４Ｂおよび左側の脚部３Ｌの後側３ＬＢの編地を連続して編成するために、編幅の左側の外端側から右側の外端側の方向へと編糸を給糸する。次のコースＢ１２では、前側の針床に編糸を回し、左側の脚部３Ｌの前側３ＬＦ、前側の襠部４Ｆおよび右側の脚部３Ｒの前側３ＲＦの編地を連続して編成するために、編幅の右側の外端側から左側の外端側の方向へと編糸を給糸する。
【００４５】
図８は、本発明の実施の他の形態としての襠を有する筒状編地の編成方法で形成されるニット製品の一例であるセータ１１の概略的な形状を示す。セータ１１は、大略的に身頃１２と袖部１３とからなる。身頃１２は一つの筒状編地として編成される。袖部１３は、左右の袖部１３Ｌ，１３Ｒとして、それぞれ筒状に形成され、身頃１２と接合し、１つの筒状編成となる。各袖部１３Ｌ，１３Ｒが身頃１２に接合する部分には、襠部１４が設けられる。左右の袖部１３Ｌ，１３Ｒ側から見れば、各袖部１３Ｌ，１３Ｒは、左右の襠部１４Ｌ，１４Ｒを挟んで身頃１２にそれぞれ接合される。襠部１４は、図１の襠部４と同様に、アーチ１５が形成されるようにコース数を少なくし、袖部１３Ｌ，１３Ｒと身頃１２とが曲面で円滑に接合されるようにしている。襠部１４の前側と後側とでは、前側の襠編地１４Ｆの方が後側の襠編地１４Ｂよりもコース数が多くなるようにして、胸側にゆとりを持たせることができる。前後の身頃での目数の調整は、ダーツを形成して行えばよい。
【００４６】
図９は、本発明の実施のさらに他の形態としての襠部２４，３４の形状の例を示す。図９（ａ）の襠部２４では、前側または後側のうちの一方の襠編地２４Ａに一定幅部２５と目減らし部２６Ａとを設け、他方の襠編地２４Ｂには目減らし部２６Ｂを設けて、コース数を一方の襠編地２４Ａ側の方が大きくなるようにしている。図９（ｂ）の襠部３４では、前側または後側のうちの一方の襠編地３４Ａに一定幅部３５と目減らし部３６Ａとを設け、他方の襠編地３４Ｂには目減らし部３６Ｂを設けて、コース数を一方の襠編地３４Ａ側の方が大きくなるようにしているとともに、編幅も大きくしてくり違いを設けている。襠部２４，３４の長さや幅のくり違いは、形成する部位での必要に応じて設けるようにすればよい。
【００４７】
また、前側と後側との襠編地のうちの一方は、編幅が減少する目減らし部２６Ａ，３６Ａと編幅が一定となる一定幅部２５，３５とを含むように編成するので、充分なゆとりを持たせることができる。前側と後側との襠編地のうちの他方は、目減らし部２６Ｂ，３６Ｂとして編幅が減少するように編成するので、分かれている筒状編地間を接合して、自然な感じで一体化するをことができる。
【００４８】
以上で説明しているような、無縫製で襠を有する筒状編地を編成する横編機は、前後に少なくとも一対の対向する針床を備えて、前後の針床間の目移しとラッキングとが可能であればよい。筒状の編地は、前側と後側とを両端で連結しながら、接合部分には襠部４，１４，２４，３４の編地を形成する。接合する複数の筒状編地は、先端から接合部分近傍までそれぞれ編成される。接合部分近傍では襠部４，１４，２４，３４の編出しが開始される。襠部４，１４，２４，３４は、前側と後側とでそれぞれで形状が異なるように編成されるので、前後にゆとりがあり、人体に沿うようなアウトラインを無縫製で得ることができる。襠を有する筒状編地間は、襠部４，１４，２４，３４を介して接合されるとともに、襠部４，１４，２４，３４は、前側と後側とで編成するコース数を異ならせる。前側と後側との襠編地のうちでコース数が少ない側に接合される筒状編地の一方側は、幅方向の中間にダーツの成型を行って、編幅を前側と後側との襠編地のうちでコース数が多い側に接合される筒状編地の他方側に合わせるので、前後の編地の編幅を同一に保つことができる。
【図面の簡単な説明】
【００４９】
【図１】本発明の実施の一形態としての襠を有する筒状編地の編成方法で形成されるニット製品の一例であるパンツ１での編地のレイアウトを示す図である。
【図２】図１の襠部４として編成する部分の形状を示す図である。
【図３】図１〜図３に従って製造されるパンツ１の形状を示す平面図、正面図および背面図である。
【図４】図４のパンツ１の脚部３を延長して形成されるタイツ１０の右側面図である。
【図５】図１のパンツ１の区間Ｓ３を編成する際に、脚部３Ｌ，３Ｒの接合部分近傍で襠部４の編成を行いながら編地間の接合を行うための基本的な糸回しを示す図である。
【図６】図５に示す糸回しとともに、前後の針床間での目移しやラッキングを併用して、左右の脚部３Ｌ，３Ｒを襠部４を介して接合していく過程を示す図である。
【図７】図１のパンツ１を編成する際に、区間Ｓ２で、襠部４の編地の編成コース数と、襠部４に接合する脚部３Ｌ，３Ｒの部分の筒状編地の編成コース数との比率を、１：２とする糸回しの例を示す図である。
【図８】本発明の実施の他の形態としての襠を有する筒状編地の編成方法で形成されるニット製品の一例であるセータ１１の概略的な形状を示す正面図である。
【図９】本発明の実施のさらに他の形態としての襠部２４，３４の形状の例を示す図である。
【図１０】横編機によって編成される編地のコース方向とウェール方向とを示す図である。
【符号の説明】
【００５０】
１  パンツ
２  胴部
３  脚部
４，１４，２４，３４  襠部
５Ｂ，５Ｆ  緩曲部
６Ｂ，６Ｆ  急曲部
７Ｂ，２６Ａ，２６Ｂ，３６Ａ，３６Ｂ  目減らし部
９Ｆ  ダーツ部
１０  タイツ
１１  セータ
１２  身頃
１３  袖部
２５，３５  一定幅部
【図１】
2006152507.tif 000003
【図２】
2006152507.tif 000004
【図３】
2006152507.tif 000005
【図４】
2006152507.tif 000006
【図５】
2006152507.tif 000007
【図６】
2006152507.tif 000008
【図７】
2006152507.tif 000009
【図８】
2006152507.tif 000010
【図９】
2006152507.tif 000011
【図１０】
2006152507.tif 000012